【手続補正書】
【提出日】平成28年9月26日(2016.9.26)
【手続補正１】
【補正対象書類名】特許請求の範囲
【補正対象項目名】全文
【補正方法】変更
【補正の内容】
【特許請求の範囲】
【請求項１】
方法において、
顧客構内モデムに接続されているライン上で、前記顧客構内モデムから信号を送信することと、
前記送信した信号の反射に対応するデータを受信することと、
前記データを処理して、前記ラインの推定されるループ長を取得することと、
前記取得したループ長にしたがって前記データを解析して、マイクロフィルタが前記ライン上に接続されているか否かを決定することとを含む方法。
【請求項２】
前記送信するステップと、前記受信するステップと、前記解析するステップは、前記顧客構内モデムによって実行される単一終端ラインテスト（ＳＥＬＴ）テストに組み込まれている請求項１記載の方法。
【請求項３】
前記送信することは、高周波数信号を送信することを含み、
前記解析することは、前記ラインが短絡を含むか否かを決定することを含む請求項１記載の方法。
【請求項４】
前記ラインが短絡を含むか否かを決定することは、
前記送信した信号に関係付けられている位相応答を決定することと、
短絡状態に関係付けられているしきい値と、前記位相応答とを比較することとを含む請求項３記載の方法。
【請求項５】
前記送信することは、低周波数信号を送信することを含み、
前記解析することは、前記ラインが開放を含むか否かを決定することを含む請求項１記載の方法。
【請求項６】
前記ラインが開放を含むか否かを決定することは、
前記送信した信号に関係付けられている位相応答を決定することと、
開放状態に関係付けられているしきい値と、前記位相応答とを比較することとを含む請求項５記載の方法。
【請求項７】
前記送信することは、ワイドバンド信号を送信することを含み、
前記解析することは、おおよそ１００オームによって前記ラインが終端されているか否かを決定することを含む請求項１記載の方法。
【請求項８】
前記おおよそ１００オームによって前記ラインが終端されているか否かを決定することは、
前記ワイドバンド信号に関係付けられている、送信エネルギーと受信エネルギーとの比を決定することと、
１００オームライン終端状態に関係付けられているしきい値と、前記比とを比較することとを含む請求項７記載の方法。
【請求項９】
前記マイクロフィルタは、ＡＤＳＬ／ＶＤＳＬマイクロ−フィルタ／スプリッタである請求項１記載の方法。
【請求項１０】
前記推定されるループ長を使用して、短絡のしきい値の値のテーブル中で前記しきい値を探すことによって、前記比較する際に使用するための前記しきい値を取得することをさらに含む請求項４記載の方法。
【請求項１１】
前記推定されるループ長を使用して、開放のしきい値の値のテーブル中で前記しきい値を探すことによって、前記比較する際に使用するための前記しきい値を取得することをさらに含む請求項６記載の方法。
【請求項１２】
モデムにおいて、
前記モデムに接続されているライン上で信号を送信するように適合されている送信機と、
前記送信した信号の反射に対応するデータを受信するように適合されている受信機と、
前記データを処理して、前記ラインの推定されるループ長を取得し、前記推定されるループ長にしたがって前記データを解析して、マイクロフィルタが前記ライン上に接続されているか否かを決定するようにプログラミングされているチップセットとを具備するモデム。
【請求項１３】
前記信号は高周波数信号であり、
前記チップセットによって実行される解析することは、前記ラインが短絡を含むか否かを決定することを含む請求項１２記載のモデム。
【請求項１４】
前記ラインが短絡を含むか否かを決定することは、
前記送信した信号に関係付けられている位相応答を決定することと、
短絡状態に関係付けられているしきい値と、前記位相応答とを比較することとを含む請求項１３記載のモデム。
【請求項１５】
前記信号は低周波数信号であり、
前記チップセットによって実行される解析することは、前記ラインが開放を含むか否かを決定することを含む請求項１２記載のモデム。
【請求項１６】
前記ラインが開放を含むか否かを決定することは、
前記送信した信号に関係付けられている位相応答を決定することと、
開放状態に関係付けられているしきい値と、前記位相応答とを比較することとを含む請求項１５記載のモデム。
【請求項１７】
前記信号はワイドバンド信号であり、
前記チップセットによって実行される解析することは、おおよそ１００オームによって前記ラインが終端されているか否かを決定することを含む請求項１２記載のモデム。
【請求項１８】
前記おおよそ１００オームによって前記ラインが終端されているか否かを決定することは、
前記ワイドバンド信号に関係付けられている、送信エネルギーと受信エネルギーとの比を決定することと、
１００オームライン終端状態に関係付けられているしきい値と、前記比とを比較することとを含む請求項１７記載のモデム。
【請求項１９】
前記マイクロフィルタは、ＡＤＳＬ／ＶＤＳＬマイクロ−フィルタ／スプリッタである請求項１２記載のモデム。
【請求項２０】
方法において、
顧客構内モデムに接続されているライン上で、前記顧客構内モデムから高周波数信号を送信することと、
前記送信した高周波数信号の反射に対応する第１のデータを受信することと、
前記顧客構内モデムに接続されているライン上で、前記顧客構内モデムから低周波数信号を送信することと、
前記送信した低周波数信号の反射に対応する第２のデータを受信することと、
前記顧客構内モデムに接続されているライン上で、前記顧客構内モデムからワイドバンド信号を送信することと、
前記送信したワイドバンド信号の反射に対応する第３のデータを受信することと、
前記第１のデータと前記第２のデータと前記第３のデータとのうちのいくつかまたはすべてを解析して、マイクロフィルタが前記ライン上に接続されているか否かを決定することとを含む方法。
【請求項２１】
前記解析することは、前記ライン上に短絡状態が存在していると前記第１のデータが示す場合、かつ、前記ライン上に開放状態が存在していると前記第２のデータが示す場合、かつ、おおよそ１００オームによって前記ラインが終端されていないと前記第３のデータが示す場合に、前記マイクロフィルタが接続されていると決定することを含む請求項２０記載の方法。
【請求項２２】
前記解析することは、前記高周波数信号および前記低周波数信号に関係付けられている位相応答と、それぞれのしきい値とを比較することを含む請求項２１記載の方法。
【手続補正２】
【補正対象書類名】明細書
【補正対象項目名】００２９
【補正方法】変更
【補正の内容】
【００２９】
［００３２］
特に本発明の好ましい実施形態を参照して本発明を説明してきたが、発明の精神および範囲から逸脱することなく、形態および詳細において変更および修正を行ってもよいことは、当業者に容易に明白となる。添付した特許請求の範囲は、このような変更および修正を含むことを意図している。
以下に、本願出願の当初の特許請求の範囲に記載された発明を付記する。
［１］方法において、
顧客構内モデムに接続されているライン上で、前記顧客構内モデムから信号を送信することと、
前記送信した信号の反射に対応するデータを受信することと、
前記データを解析して、マイクロフィルタが前記ライン上に接続されているか否かを決定することとを含む方法。
［２］前記送信するステップと、前記受信するステップと、前記解析するステップは、前記顧客構内モデムによって実行される単一終端ラインテスト（ＳＥＬＴ）テストに組み込まれている［１］記載の方法。
［３］前記送信することは、高周波数信号を送信することを含み、
前記解析することは、前記ラインが短絡を含むか否かを決定することを含む［１］記載の方法。
［４］前記決定することは、
前記送信した信号に関係付けられている位相応答を決定することと、
短絡状態に関係付けられているしきい値と、前記位相応答を比較することとを含む［３］記載の方法。
［５］前記送信することは、低周波数信号を送信することを含み、
前記解析することは、前記ラインが開放を含むか否かを決定することを含む［１］記載の方法。
［６］前記決定することは、
前記送信した信号に関係付けられている位相応答を決定することと、
開放状態に関係付けられているしきい値と、前記位相応答を比較することとを含む［５］記載の方法。
［７］前記送信することは、ワイドバンド信号を送信することを含み、
前記解析することは、おおよそ１００オームによって前記ラインが終端されているか否かを決定することを含む［１］記載の方法。
［８］前記決定することは、
前記ワイドバンド信号に関係付けられている、送信エネルギーと受信エネルギーとの比を決定することと、
１００オームライン終端状態に関係付けられているしきい値と、前記比を比較することとを含む［７］記載の方法。
［９］前記マイクロフィルタは、ＡＤＳＬ／ＶＤＳＬマイクロ−フィルタ／スプリッタである［１］記載の方法。
［１０］モデムにおいて、
前記モデムに接続されているライン上で信号を送信するように適合されている送信機と、
前記送信した信号の反射に対応するデータを受信するように適合されている受信機と、
前記データを解析して、マイクロフィルタが前記ライン上に接続されているか否かを決定するようにプログラミングされているチップセットとを具備するモデム。
［１１］前記信号は高周波数信号であり、
前記チップセットによって実行される解析することは、前記ラインが短絡を含むか否かを決定することを含む［１０］記載のモデム。
［１２］前記決定することは、
前記送信した信号に関係付けられている位相応答を決定することと、
短絡状態に関係付けられているしきい値と、前記位相応答を比較することとを含む［１１］記載のモデム。
［１３］前記信号は低周波数信号であり、
前記チップセットによって実行される解析することは、前記ラインが開放を含むか否かを決定することを含む［１０］記載のモデム。
［１４］前記決定することは、
前記送信した信号に関係付けられている位相応答を決定することと、
開放状態に関係付けられているしきい値と、前記位相応答を比較することとを含む［１３］記載のモデム。
［１５］前記信号はワイドバンド信号であり、
前記チップセットによって実行される解析することは、おおよそ１００オームによって前記ラインが終端されているか否かを決定することを含む［１０］記載のモデム。
［１６］前記決定することは、
前記ワイドバンド信号に関係付けられている、送信エネルギーと受信エネルギーとの比を決定することと、
１００オームライン終端状態に関係付けられているしきい値と、前記比を比較することとを含む［１５］記載のモデム。
［１７］前記マイクロフィルタは、ＡＤＳＬ／ＶＤＳＬマイクロ−フィルタ／スプリッタである［１０］記載のモデム。
［１８］方法において、
顧客構内モデムに接続されているライン上で、前記顧客構内モデムから高周波数信号を送信することと、
前記送信した高周波数信号の反射に対応する第１のデータを受信することと、
前記顧客構内モデムに接続されているライン上で、前記顧客構内モデムから低周波数信号を送信することと、
前記送信した低周波数信号の反射に対応する第２のデータを受信することと、
前記顧客構内モデムに接続されているライン上で、前記顧客構内モデムからワイドバンド信号を送信することと、
前記送信した高周波数信号の反射に対応する第３のデータを受信することと、
前記第１のデータと前記第２のデータと前記第３のデータとのうちのいくつかまたはすべてを解析して、マイクロフィルタが前記ライン上に接続されているか否かを決定することとを含む方法。
［１９］前記解析することは、前記ライン上に短絡状態が存在していると前記第１のデータが示す場合、かつ、前記ライン上に開放状態が存在していると前記第２のデータが示す場合、かつ、おおよそ１００オームによって前記ラインが終端されていないと前記第３のデータが示す場合に、前記マイクロフィルタが接続されていると決定することを含む［１８］記載の方法。
［２０］前記解析することは、前記高周波数信号および前記低周波数信号に関係付けられている位相応答を、それぞれのしきい値と比較することを含む［１９］記載の方法。